(57)【要約】【課題】  排水の流れを改善し、滞留の発生を防止したルーフドレンユニットを提供する。【解決手段】  本発明のルーフドレンユニットは、防水シートを敷設した建物の屋根で側壁に設けられた排水管に用いられるルーフドレンユニットであって、略中央部分に排水筒を設けた垂直部と、該垂直部の下部に排水筒とは反対方向へ突出する水平部とを備えて、全体が略Ｌ字形に構成されたドレン本体と、少なくとも外周面がジャバラ状であり、前記排水筒に接合された状態で前記排水管内部に挿入されているホースとを有し、前記ドレン本体の前記水平部に於ける排水筒近傍には落とし込み部が設けられていることを特徴とする。【選択図】  図１
2010209611.tif 000002
【特許請求の範囲】
【請求項１】
防水シートを敷設した建物の屋根で側壁に設けられた排水管に用いられるルーフドレンユニットであって、
略中央部分に排水筒を設けた垂直部と、該垂直部の下部に排水筒とは反対方向へ突出する水平部とを備えて、全体が略Ｌ字形に構成されたドレン本体と、
少なくとも外周面がジャバラ状であり、前記排水筒に接合された状態で前記排水管内部に挿入されているホースとを有し、
前記ドレン本体の前記水平部に於ける排水筒近傍には落とし込み部が設けられていることを特徴とするルーフドレンユニット。
【請求項２】
前記ドレン本体の水平部に於ける、前記防水シートが載置される部分には、該防水シートと面一となる様に段差部が設けられていることを特徴とする請求項１に記載のルーフドレンユニット。
【請求項３】
前記ホースにおいてジャバラ状の曲折される部分のピッチ間隔は他の部分よりも５〜２５ｍｍの範囲内で大きく、かつ、芯材の直径は１〜５ｍｍの範囲内で細いことを特徴とする請求項１又は２に記載のルーフドレンユニット。
【発明の詳細な説明】
【技術分野】
【０００１】
本発明は、建造物の屋根に配置され、建造物躯体に沿って垂直に設けられた雨水用排水管に接続するためのルーフドレンユニットに関する。
【背景技術】
【０００２】
従来、例えば、ビル等の建造物の屋上に排水用として設けられるルーフドレンは、建造物躯体に沿って垂直に設けられた雨水用排水管に接続するために設けられている。
【０００３】
例えば、下記特許文献１には、下地形状に適合するように変形可能な素材で形成されたドレン鍔、および該ドレン鍔に接合されたフレキシブルホースを有する横引きドレンが開示されている。また、ドレン鍔の固定の為にステンレスのバンド締めを用いる際に、ドレン鍔のパイプの内側にステレンス製のパイプをはめ込み、該ドレン鍔が潰れない様にしている。しかし、前記構成のドレンであると、ステンレス製のパイプが段差となって排水の際に抵抗となり、排水が滞留するという問題がある。
【０００４】
また、下記特許文献２には、ルーフドレンの下面部に段差部を設けて、排水の流れを改善したルーフドレンが開示されている。しかし、当該構成のルーフドレンでは、排水管部自体が排水の流れを阻害する段差を形成しており（図３参照）、当該段差部で排水が滞留するという問題がある。
【先行技術文献】
【特許文献】
【０００５】
【特許文献１】特開平７−７６９０８号公報
【特許文献２】実開平６−７３２２１号公報
【発明の概要】
【発明が解決しようとする課題】
【０００６】
本発明は前記問題点に鑑みなされたものであり、その目的は、排水の流れを改善し、滞留の発生を防止したルーフドレンユニットを提供することにある。
【課題を解決するための手段】
【０００７】
本願発明者等は、前記従来の問題点を解決すべく、ルーフドレンユニットについて検討した。その結果、下記構成を採用することにより前記課題を解決できることを見出して、本発明を完成させるに至った。
【０００８】
即ち、本発明に係るルーフドレンユニットは、前記の課題を解決する為に、防水シートを敷設した建物の屋根で側壁に設けられた排水管に用いられるルーフドレンユニットであって、略中央部分に排水筒を設けた垂直部と、該垂直部の下部に排水筒とは反対方向へ突出する水平部とを備えて、全体が略Ｌ字形に構成されたドレン本体と、少なくとも外周面がジャバラ状であり、前記排水筒に接合された状態で前記排水管内部に挿入されているホースとを有し、前記ドレン本体の前記水平部に於ける排水筒近傍には落とし込み部が設けられていることを特徴とする。
【０００９】
前記の構成によれば、ドレン本体の水平部に於ける排水筒近傍に落とし込み部を設けることにより、排水が抵抗を受けることなく排水筒に向かって排出させることができる。その結果、排水筒近傍で排水が滞留するのを防止することができる。
【００１０】
また、ドレン本体の排水筒から、側壁に設けられている排水管に直接排水が流入する様にすると、排水が排水筒の出口部分で回り込み逆流する場合がある。しかし、本願発明のように、ドレン本体の排水筒に、少なくとも外周面がジャバラ状のホースを接合することにより、ホース内を排水が流れる様にする。これにより、排水が排水筒の下側に回り込み、逆流するのを防止することができ、その結果、効率の良い排水が可能になる。
【００１１】
前記構成に於いて、前記ドレン本体の水平部に於ける、前記防水シートが載置される部分には、該防水シートと面一となる様に段差部が設けられていることが好ましい。これにより、排水を一層良好なものにする。
【００１２】
前記構成に於いて、前記ホースにおいてジャバラ状の曲折される部分のピッチ間隔は他の部分よりも５〜２５ｍｍの範囲内で大きく、かつ、芯材の直径は１〜５ｍｍの範囲内で細いことが好ましい。これにより、例えば、前記排水管が曲折している場合にも、その内部に挿入されるホースはその形状に応じて曲折させることができ、その結果、滞留することなく排水させることが可能になる。
【発明の効果】
【００１３】
本発明によれば、ドレン本体の排水筒近傍に落とし込み部を設けることにより、排水が排水筒近傍で滞留するのを防止することができる。更に、排水筒には少なくとも内周面がジャバラ状のホースが接合されており、かつ、このホースは側壁に設けられた排水管の内部に挿入されているので、逆流を防止しつつ効率のよい排水を可能にする。
【図面の簡単な説明】
【００１４】
【図１】本発明のルーフドレンユニットを模式的に示す分解斜視図である。
【図２】前記ルーフドレンユニットを模式的に示す断面図である。
【図３】前記ルーフドレンユニットに於ける排水筒とホースとの接合部分を示す断面模式図である。
【発明を実施するための形態】
【００１５】
本発明のルーフドレンユニットについて、図１〜図３を参照しながら以下に説明する。但し、説明に不要な部分は省略し、また説明を容易にする為に拡大または縮小等して図示した部分がある。
【００１６】
図１は、本発明のルーフドレンユニットを模式的に示す分解斜視図である。図２は、前記ルーフドレンユニットを模式的に示す断面図である。図１に示すように、ルーフドレンユニット１０は防水シートを敷設した建物の屋根で側壁４に設けられた排水管１１に用いられるものであって、ドレン本体１と、ホース２とを備える。
【００１７】
前記ドレン本体１は、排水筒７を設けた垂直部５と、該垂直部５の下部に排水筒７とは反対方向へ突出する水平部６とを備えて、全体が略Ｌ字形に構成されている。
【００１８】
前記排水筒７は、垂直部５の略中央部分に設けられている。排水筒７の開口部分の形状は特に限定されず、例えば、略円形状、略矩形状等が例示できる。また、排水筒７の開口部分の大きさは特に限定されず、前記ホース２の大きさに応じて適宜設定され得る。具体的には、例えば開口部分が円形状の場合、その直径が４０〜４００ｍｍの範囲内であることが好ましい。但し、排水筒７はホース２の内部に挿入することにより嵌合されるので、該ホース２よりも小さいことが好ましい。排水筒７にホース２が挿入された構成であると、その接合部でホース２が排水の流れを妨げる障害となり得るので好ましくない。また、排水筒７の長さは特に限定されないが、一般的には、その開口部分から１００〜１０００ｍｍの範囲内であることが好ましく、１５０〜５００ｍｍの範囲内であることがより好ましい。
【００１９】
また、前記水平部６に於ける排水筒７の近傍には、落とし込み部８が設けられている。落とし込み部８の落とし込みは特に限定されないが、排水の滞留を防止する観点から、１〜１０ｍｍの範囲内であることが好ましい。また、落とし込み部８の厚みは、例えば０．５〜３ｍｍの範囲内であることが好ましい。また、落とし込み部８と排水筒７の間には段差がなく、連続的に設けられており、排水の流れを妨げない構造となっているのが好ましい。
【００２０】
ドレン本体１の構成材料としては特に限定されず、例えば、ＥＰＤＭ（エチレンプロピレンジエンゴム）等が例示できる。また、ドレン本体の厚さは特に限定されないが、側壁４及び下地９に対する段差を低減するという観点からは、１．０〜２．０ｍｍの範囲内であることが好ましい。
【００２１】
前記ホース２は、少なくともその外周面がジャバラ状となっている。また、ジャバラ状の曲折される部分のピッチ間隔は他の部分よりも５〜２５ｍｍの範囲内で大きく、かつ、芯材の直径は他の部分よりも１〜５ｍｍの範囲内で細いことが好ましい。これにより、排水管１１が曲折しているエルボ部分においても、その形状に応じてホース２を曲折させることができ、その結果、滞留のない排水を可能にする。尚、曲折されない部分のピッチ間隔は特に限定されないが、通常は１０〜１２ｍｍの範囲内である。また、曲折されない部分の芯材の直径は１〜５ｍｍの範囲内である。
【００２２】
また、ホース２は側壁４に設けられている排水管１１の内部に挿入されている。排水筒７から排水管に直接排水を流入させると、排水筒７と排水管１１との間に生じる隙間に排水が逆流する場合がある。本発明では、排水筒７にホース２を接合することにより、この逆流の発生を防止し、排水性の改善を図っている。接合部分については、ホース２はジャバラ状になっていないことが好ましい。
【００２３】
ホース２の構成材料としては特に限定されず、例えば、軟質塩化ビニール樹脂が例示できる。軟質塩化ビニール樹脂を主成分とするホースであると、柔軟性及び屈曲性に優れるので、排水管１１が曲折している場合にもホース２を容易に挿入させることができる。また、ホース２の芯材の構成材料としては特に限定されず、従来公知のものを採用することができる。
【００２４】
ホース２の先端（排水筒７と接合されていない側）の形状は、当該ホース２が排水管１１内部での曲折可能な構造を有しているので、特に限定されない。
【００２５】
ドレン本体１と下地９との間には、図２に示すように、増張り用シート１２が設けられている。また、ドレン本体１に於ける増張り用シート１２の上方部分１４に於いては、その厚みが落とし込み部８の厚みよりも薄くなる様に設計されている。上方部分１４の厚みは、例えば０．５〜５ｍｍの範囲内であることが好ましい。前記増張り用シート１２としては、例えばブチルゴム（非加硫）等からなるものが例示できる。
【００２６】
また、ドレン本体１に於ける水平部６の一部は防水シート１３で覆われている。この防水シート１３で覆われている部分は、該防水シートと前記上方部分１４とが面一となる様に段差部１５が設けられている。これにより、防水シート１３が敷設されている建物の屋根に対し、ドレン本体１の格納性を高めると共に、排水を一層良好なものにする。段差部１５の厚みは、落とし込み部８の厚みよりも薄くなる様に設計されている。具体的には、例えば０．５〜３ｍｍの範囲内であることが好ましい。また、前記上方部分１４の厚みは、段差部１５の厚みと防水シート１３の厚みの総和とほぼ等しいことが好ましい。
【００２７】
排水筒７とホース２の接合は、ホース２に排水筒７を挿入し、かつ、接触部分には接着剤２１を用いる（図３参照）。更に、同図に示すように、ホース２及び排水筒７を、例えば熱収縮性のバンド２２で固定する。バンド２２による固定の際は、排水筒７の内部に金型を挿入し、バンド２２の熱収縮による排水筒７の形状破壊を防止するのが好ましい。この様な接合を行うことにより、排水筒７とホース２の接合部分での高い水密性が得られ、接合部分での漏水を防止することができる。前記接着剤２１としては特に限定されず、例えば、クロロプレンゴム等が例示できる。
【００２８】
また、ルーフドレンユニット１０には、ドレン本体１によって支持されるストレーナ３が設けられていることが好ましい。ストレーナ３としては、例えば、板金をコ字型に曲げて側面形状が直角三角形をなすように形成したものが挙げられる。また、ストレーナ３の３つの面には、所定形状の開口部２３が複数設けられていることが好ましい。
【符号の説明】
【００２９】
１    ドレン本体
２    ホース
３    ストレーナ
４    側壁
５    垂直部
６    水平部
７    排水筒
８    落とし込み部
９    下地
１０    ルーフドレンユニット
１１    排水管
１２    増張り用シート
１３    防水シート
１５    段差部
２１    接着剤
２２    バンド
２３    開口部
【図１】
2010209611.tif 000003
【図２】
2010209611.tif 000004
【図３】
2010209611.tif 000005